(57)【要約】【課題】  プリズムシートを省略しても充分な輝度を得ることができるバックライトユニットを提供すること。【解決手段】  入射面１２及びこの入射面１２と対向する出射面１４を有する拡散導光板４と、拡散導光板４の入射面１２に対向して配設された反射部材８と、拡散導光板４と反射部材８との間に配設された一次光源６と、拡散導光板４の出射面１４に対向して配設された光拡散シート１０と、を備えたバックライトユニット。この出射面１４には所定方向及び所定方向に対して垂直な方向に連続的に設けられた複数の凸部２０（又は凹部）が設けられ、これら凸部２０（又は凹部）の各々は、横断面形状が四角である四角錐状であり、それらの各々の底辺の一辺が８０〜１５０μｍで、且つ対面角が９０〜１２０度である。【選択図】  図１
2008234846.tif 000002
【特許請求の範囲】
【請求項１】
入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が隙間なく設けられ、前記複数の凸部又は凹部の各々は、横断面形状が四角である四角錐状であり、それらの各々の底面の対向辺の間隔が８０〜１５０μｍで、且つ対面角が９０〜１２０度であることを特徴とするバックライトユニット。
【請求項２】
入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が隙間なく設けられ、前記複数の凸部又は凹部の各々は、横断面形状が正六角である正六角錐状であり、それらの各々の底面の対向辺の間隔が８０〜１５０μｍで、且つ対面角が９０〜１２０度であることを特徴とするバックライトユニット。
【請求項３】
前記拡散導光板の前記出射面は、前記複数の一次光源に対応する第１領域と、前記複数の一次光源の間に対応する第２領域を有し、前記第１領域に設けられた前記複数の凸部又は凹部における前記所定方向の対面角は、前記第２領域に設けられた前記複数の凸部又は凹部における前記所定方向の対面角よりも鋭角に形成されていることを特徴とする請求項１又は２に記載のバックライトユニット。
【請求項４】
前記複数の凸部又は凹部における前記所定方向の対面角は、前記第１領域の上記所定方向の中心部から前記第２領域の上記所定方向の中心部に向けて、連続的又は段階的に大きくなるように形成されていることを特徴とする請求項３に記載のバックライトユニット。
【請求項５】
前記拡散導光板の前記出射面は、前記複数の一次光源に対応する第１領域と、前記複数の一次光源の間に対応する第２領域を有し、前記第１領域に設けられた前記複数の凸部又は凹部における前記底面の前記所定方向の対向辺の間隔は、前記第２領域に設けられた前記複数の凸部又は凹部における前記底面の前記所定方向の対向辺の間隔よりも小さく形成されていることを特徴とする請求項１に記載のバックライトユニット。
【請求項６】
前記複数の凸部又は凹部における前記底面の前記所定方向の対向辺の間隔は、前記第１領域の上記所定方向の中心部から前記第２領域の上記所定方向の中心部に向けて、連続的又は段階的に大きくなるように形成されていることを特徴とする請求項５に記載のバックライトユニット。
【請求項７】
入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が設けられ、前記複数の凸部又は凹部の各々は、横断面形状が円形である略半球状で、それらの各々の底面の直径が８０〜１５０μｍであり、前記複数の凸部又は凹部は、底部が正四角状又は正六角状となるように重なって隙間なく設けられていることを特徴とするバックライトユニット。
【請求項８】
前記拡散導光板の前記出射面は、前記複数の一次光源に対応する第１領域と、前記複数の一次光源の間に対応する第２領域を有し、前記第１領域に設けられた前記複数の凸部又は凹部の高さ又は深さは、前記第２領域に設けられた前記複数の凸部又は凹部の高さ又は深さよりも大きく形成されていることを特徴とする請求項７に記載のバックライトユニット。
【請求項９】
前記複数の凸部又は凹部の高さ又は深さは、前記第１領域の上記所定方向の中心部から前記第２領域の上記所定方向の中心部に向けて、連続的又は段階的に小さくなるように形成されていることを特徴とする請求項８に記載のバックライトユニット。
【請求項１０】
前記拡散導光板の前記入射面には反射防止手段が設けられ、前記反射防止手段は微細な多数の凸部又は凹部から構成されていることを特徴とする請求項１〜９のいずれかに記載のバックライトユニット。
【請求項１１】
前記光拡散シートは、有機粒子、無機粒子及び微細気泡の少なくとも一つを含む熱可塑性樹脂シートから構成されていることを特徴とする請求項１〜１０のいずれかに記載のバックライトユニット。
【請求項１２】
前記光拡散シートの出射面には、微細な多数の凸部又は凹部が設けられていることを特徴とする請求項１〜１１のいずれかに記載のバックライトユニット。
【発明の詳細な説明】
【技術分野】
【０００１】
本発明は、液晶ディスプレイなどを面照明するためのバックライトユニットに関する。
【背景技術】
【０００２】
画像情報などを表示するための液晶ディスプレイは、液晶ユニットと、この液晶ユニットを照明するためのバックライトユニットとから構成され、液晶ユニットはバックライトの表面側、即ち出射面と対向して配設される。液晶ユニットは液晶セルによって透過光の光量調整を行うもので、それ自体発光せず、バックライトユニットが液晶ディスプレイにおいて画像情報などを表示するための光源として用いられる。
【０００３】
バックライトユニットは、冷陰極蛍光ランプの如き一次光源、光を導くための導光板、反射部材、拡散フィルム及びプリズムシートなどを備えている。導光板は片面が入射面として機能し、かかる入射面に対向して一次光源が配設される。また、導光板の入射面に対向する他面は出射面として機能し、この出射面と対向して拡散シート及びプリズムシートが配設され、プリズムシートの出射面と対向して液晶ユニットが配設される。更に、導光板の入射面に対向して反射部材が配設される。このように構成されているので、冷陰極蛍光ランプからの光は直接的に、また反射部材に反射されて入射面を通して導光板内に導かれ、この導光板内を伝搬されて出射面から液晶ユニットに向けて出射される。導光板の出射面からの光は、拡散シートにおいて所要の通りに拡散され、またプリズムシートにより輝度が高められた後に、液晶ユニットの背面側からその全域（即ち、面照射領域）を照明する。
【０００４】
液晶ユニットを照明するバックライトユニットにおいては、液晶ユニットを背面側から高輝度で照明するとともに、液晶ユニットの表示領域（面照射領域）を均一に照明することが求められており、このことは、導光板において、一次光源から入射面を通して導入された光を効率良く出射面を通して出射するとともに、出射面から出射される光をその全域において均一にすることが求められる。
【０００５】
このような課題を解消するために、導光板の出射面に凹部パターン（又は凸部パターン）を設け、この凹部パターン（又は凸部パターン）を多数の四角錐状の凹部（又は凸部）から構成したものも提案されている（例えば、特許文献１参照）。この導光板においては、凹部パターン（又は凸部パターン）が導光板がら出射される光を拡散するので、バックライトユニットの輝度を高めることができ、その結果、液晶ディスプレイの画像面をより明るくすることができる。
【０００６】
【特許文献１】実用新案登録第３１１７６６２号公報
【発明の開示】
【発明が解決しようとする課題】
【０００７】
しかしながら、上記公知のバックライトユニットにおいては、一次光源と液晶ユニットとの間に導光板、拡散シート及びプリズムシートを設ける必要があり、それ故に、バックライトユニットの構成が複雑になるとともに、その製作コストが高くなる問題がある。また、導光板の凹部パターン（又は凸部パターン）の凹部（又は凸部）が間隔を置いて設けられているので、この凹部パターン（又は凸部パターン）の効果が充分に発揮されず、バックライトユニットの輝度を充分に高めることができないという問題がある。
【０００８】
本発明の目的は、プリズムシートを省略しても充分な輝度を得ることができるバックライトユニットを提供することである。
また、本発明の他の目的は、所定の面照射領域をより均一に照射することができるバックライトユニットを提供することである。
【課題を解決するための手段】
【０００９】
本発明の請求項１に記載のバックライトユニットは、入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が隙間なく設けられ、前記複数の凸部又は凹部の各々は、横断面形状が四角である四角錐状であり、それらの各々の底面の対向辺の間隔が８０〜１５０μｍで、且つ対面角が９０〜１２０度であることを特徴とする。
【００１０】
また、本発明の請求項２に記載のバックライトユニットは、入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が隙間なく設けられ、前記複数の凸部又は凹部の各々は、横断面形状が正六角である正六角錐状であり、それらの各々の底面の対向辺の間隔が８０〜１５０μｍで、且つ対面角が９０〜１２０度であることを特徴とする。
【００１１】
また、本発明の請求項３に記載のバックライトユニットでは、前記拡散導光板の前記出射面は、前記複数の一次光源に対応する第１領域と、前記複数の一次光源の間に対応する第２領域を有し、前記第１領域に設けられた前記複数の凸部又は凹部における前記所定方向の対面角は、前記第２領域に設けられた前記複数の凸部又は凹部における前記所定方向の対面角よりも鋭角に形成されていることを特徴とする。
【００１２】
また、本発明の請求項４に記載のバックライトユニットでは、前記複数の凸部又は凹部における前記所定方向の対面角は、前記第１領域の上記所定方向の中心部から前記第２領域の上記所定方向の中心部に向けて、連続的又は段階的に大きくなるように形成されていることを特徴とする。
【００１３】
また、本発明の請求項５に記載のバックライトユニットでは、前記拡散導光板の前記出射面は、前記複数の一次光源に対応する第１領域と、前記複数の一次光源の間に対応する第２領域を有し、前記第１領域に設けられた前記複数の凸部又は凹部における前記底面の前記所定方向の対向辺の間隔は、前記第２領域に設けられた前記複数の凸部又は凹部における前記底面の前記所定方向の対向辺の間隔よりも小さく形成されていることを特徴とする。
【００１４】
また、本発明の請求項６に記載のバックライトユニットでは、前記複数の凸部又は凹部における前記底面の前記所定方向の対向辺の間隔は、前記第１領域の上記所定方向の中心部から前記第２領域の上記所定方向の中心部に向けて、連続的又は段階的に大きくなるように形成されていることを特徴とする。
【００１５】
また、本発明の請求項７に記載のバックライトユニットは、入射面及びこの入射面と対向する出射面を有する拡散導光板と、前記拡散導光板の入射面に対向して配設された反射部材と、前記拡散導光板と前記反射板との間に所定方向に間隔を置いて配設された複数の一次光源と、前記拡散導光板の前記出射面に対向して配設された光拡散シートと、を備えたバックライトユニットであって、
前記出射面には前記所定方向及び前記所定方向に対して垂直な方向に連続的に複数の凸部又は凹部が設けられ、前記複数の凸部又は凹部の各々は、横断面形状が円形である略半球状で、それらの各々の底面の直径が８０〜１５０μｍであり、前記複数の凸部又は凹部は、底部が正四角状又は正六角状となるように重なって隙間なく設けられていることを特徴とする。
【００１６】
また、本発明の請求項８に記載のバックライトユニットでは、前記拡散導光板の前記出射面は、前記複数の一次光源に対応する第１領域と、前記複数の一次光源の間に対応する第２領域を有し、前記第１領域に設けられた前記複数の凸部又は凹部の高さ又は深さは、前記第２領域に設けられた前記複数の凸部又は凹部の高さ又は深さよりも大きく形成されていることを特徴とする。
【００１７】
また、本発明の請求項９に記載のバックライトユニットでは、前記複数の凸部又は凹部の高さ又は深さは、前記第１領域の上記所定方向の中心部から前記第２領域の上記所定方向の中心部に向けて、連続的又は段階的に小さくなるように形成されていることを特徴とする。
【００１８】
また、本発明の請求項１０に記載のバックライトユニットでは、前記拡散導光板の前記入射面には反射防止手段が設けられ、前記反射防止手段は微細な多数の凸部又は凹部から構成されていることを特徴とする。
【００１９】
また、本発明の請求項１１に記載のバックライトユニットでは、前記光拡散シートは、有機粒子、無機粒子及び微細気泡の少なくとも一つを含む熱可塑性樹脂シートから構成されていることを特徴とする。
【００２０】
更に、本発明の請求項１２に記載のバックライトユニットでは、前記光拡散シートの出射面には、微細な多数の凸部又は凹部が設けられていることを特徴とする。
【発明の効果】
【００２１】
本発明の請求項１に記載のバックライトユニットによれば、拡散導光板の出射面に所定方向及び所定方向に対して垂直な方向に連続的に複数の凸部（又は凹部)が隙間なく設けられているので、これら凸部（又は凹部）が輝度向上のためのプリズムとして機能し、かかるプリズム機能によって、拡散導光板の出射面から出射される光の輝度が高められ、その結果、バックライトユニット全体としての光の輝度を向上させることができる。また、複数の凸部（又は凹部）の各々は、横断面形状が四角である四角錐状であり、それらの各々の底面の対向辺の間隔が８０〜１５０μｍで、且つ二つの対面角のいずれもが９０〜１２０度であるので、複数の凸部（又は凹部）のプリズム機能がより高められ、バックライトユニット全体としての光の輝度を一層高めることができる。尚、この四角錐状とは、頂部を通る所定方向の縦断面形状が三角状であるものと、頂部を通る所定方向の縦断面形状が台形状であるものとを含んでいる。
【００２２】
また、本発明の請求項２に記載のバックライトユニットによれば、拡散導光板の出射面に所定方向及び所定方向に対して垂直な方向に連続的に隙間なく設けられた複数の凸部（又は凹部)がプリズムとして機能し、これら複数の凸部（又は凹部）の各々は、横断面形状が正六角である正六角錐状であり、それらの各々の底面の対向辺の間隔が８０〜１５０μｍで、且つ対面角が９０〜１２０度であるので、上述したと同様に、複数の凸部（又は凹部）のプリズム機能がより高められ、バックライトユニット全体としての光の輝度を一層高めることができる。
【００２３】
また、本発明の請求項３に記載のバックライトユニットによれば、複数の一次光源に対応する第１領域に設けられた複数の凸部（又は凹部）における所定方向の対面角は、複数の一次光源の間に対応する第２領域に設けられた複数の凸部（又は凹部）における所定方向の対面角よりも鋭角に形成されているので、第２領域における複数の凸部（又は凹部）のプリズム効果を第１領域における複数の凸部（又は凹部）のプリズム効果よりも高めることができ、一次光源からの光の弱い第２領域の光の輝度を高め、バックライトユニットによって面照射領域を均一に照射することができる。
【００２４】
また、本発明の請求項４に記載のバックライトユニットによれば、拡散導光板の複数の凸部（又は凹部）における所定方向の対面角は、第１領域の所定方向の中心部から第２領域の所定方向の中心部に向けて、連続的又は段階的に大きくなるように形成されているので、一次光源からの光が弱くなる第２領域の上記中心部に向けて連続的に、又は段階的に光の輝度が高められ、バックライトユニットによって面照射領域をより均一に照射することができる。
【００２５】
また、本発明の請求項５に記載のバックライトユニットによれば、複数の一次光源に対応する第１領域に設けられた複数の凸部（又は凹部）における底面の所定方向の対向辺の間隔は、複数の一次光源の間に対応する第２領域に設けられた複数の凸部（又は凹部）における底面の所定方向の対向辺の間隔よりも大きく形成されているので、このように構成しても第２領域における複数の凸部（又は凹部）のプリズム効果を第１領域における複数の凸部（又は凹部）のプリズム効果よりも高めることができる。
【００２６】
また、本発明の請求項６に記載のバックライトユニットによれば、複数の凸部（又は凹部）における底面の所定方向の対向辺の間隔は、第１領域の上記所定方向の中心部から第２領域の所定方向の中心部に向けて、連続的又は段階的に長くなるように形成されているので、このように構成しても、一次光源からの光が弱くなる第２領域の上記中心部に向けて連続的に、又は段階的に光の輝度を高めることができる。
【００２７】
また、本発明の請求項７に記載のバックライトユニットによれば、拡散導光板の出射面に所定方向及び所定方向に対して垂直な方向に連続的に設けられた複数の凸部（又は凹部)がプリズムとして機能し、複数の凸部（又は凹部）の各々は、横断面形状が円形である略半球状で、それらの各々の底面の直径が８０〜１５０μｍであり、これらは、底部が正四角状又は正六角状となるように重なって隙間なく設けられているので、上述したと同様に、複数の凸部（又は凹部）のプリズム機能がより高められ、バックライトユニット全体としての光の輝度を高めることができる。
【００２８】
また、本発明の請求項８に記載のバックライトユニットによれば、複数の一次光源に対応する第１領域に設けられた複数の凸部（又は凹部）の高さ又は深さは、複数の一次光源の間に対応する第２領域に設けられた複数の凸部（又は凹部）の高さ又は深さよりも大きく形成されているので、上述したと同様に、第２領域における複数の凸部（又は凹部）のプリズム効果を第１領域における複数の凸部（又は凹部）のプリズム効果よりも高めることができる。
【００２９】
また、本発明の請求項９に記載のバックライトユニットによれば、拡散導光板の複数の凸部（又は凹部）の高さ又は深さは、第１領域の所定方向の中心部から第２領域の所定方向の中心部に向けて、連続的又は段階的に大きくなるように形成されているので、上述したと同様に、一次光源からの光が弱くなる第２領域の上記中心部に向けて連続的に、又は段階的に光の輝度を高めることができる。
【００３０】
また、本発明の請求項１０に記載のバックライトユニットによれば、拡散導光板の入射面に反射防止手段が設けられているので、一次光源から拡散導光板に導入される光の入射面における反射を抑えることができ、これによって、バックライトユニットの光の輝度の向上を図ることができる。
【００３１】
また、本発明の請求項１１に記載のバックライトユニットによれば、光拡散シートとして有機粒子、無機粒子及び微細気泡の少なくとも一つを含む熱可塑性樹脂シートを用いるので、この光拡散シートの光の拡散効果を高め、バックライトユニットによって所定の面照射領域をより均一に照射することができる。
【００３２】
更に、本発明の請求項１２に記載のバックライトユニットによれば、光拡散シートの出射面に微細な多数の凸部又は凹部が設けられているので、このように構成しても、光拡散シートの光拡散効果を高めることができる。
【発明を実施するための最良の形態】
【００３３】
以下、添付図面を参照して、本発明に従うバックライトユニットの一実施形態について説明する。図１は、本発明に従うバックライトユニットの一実施形態を示す斜視図であり、図２は、図１のバックライトユニットを示す断面図であり、図３は、図１のバックライトユニットにおける拡散導光板の一部を拡大して示す平面図であり、図４は、図３におけるＩＶ−ＩＶ線による拡大断面図であり、図５は、図３におけるＶ−Ｖ線による拡大断面図であり、図３の拡散導光板の一部を拡大して示す部分拡大斜視図である。
【００３４】
図１において、図示のバックライトユニット２は、拡散導光板４、拡散導光板４に向けて光を照射する一次光源６、一次光源６からの光を拡散導光板４に向けて反射する反射部材８及び拡散導光板４からの光を拡散する光拡散シート１０を備えている。拡散導光板２の片面（図１及び図２において下面）は入射面１２として機能し、この片面と対向する他面（図１及び図２において上面）が出射面１４として機能する。一次光源６は、例えば冷陰極蛍光ランプ１６から構成され、拡散導光板４の入射面１２に対向して配設される。この形態では、図１に示すように、冷陰極蛍光ランプ１６は所定方向（図１及び図２において左右方向）に所定間隔を置いて複数設けられている。反射部材８は、一次光源６の拡散導光板４と反対側に配設される。また、光拡散シート１０は、拡散導光板４の出射面１４に対向して配設され、この光拡散シート１０の出射側に、照射すべき面照射領域、換言すると液晶ユニット（図示せず）が配設される。
【００３５】
このバックライトユニット２においては、冷陰極蛍光ランプ１６からの光の一部が直接的に、またこの光の一部が反射部材８に反射された後に入射面１２から拡散導光板４に導入され、かく導入された光は、拡散導光板４を通して出射面１４に導かれ、この出射面１４から出射される。そして、かく出射された光は光拡散シート１０を通り、この光拡散シート１０によって拡散され、拡散して均一となった光が液晶ユニット（図示せず）の背面側から照明し、液晶ユニットを均一に照明する。
【００３６】
次に、図１及び図２とともに、図３〜図５を参照して、図示の拡散導光板４について説明する。この拡散導光板４の入射面１２は平面状に形成されるが、その出射面１４には、上記所定方向（図３及び図４において左右方向）及びこの所定方向に対して垂直な方向（図３において上下方向、図４において紙面に垂直な方向）に連続して複数の凸部２０（２０ａ，２０ｂとしても説明する）が隙間なく設けられている。各凸部２０（２０ａ，２０ｂ）は、プリズム効果によって光の輝度を高めるためには、横断面形状が四角形の四角錐状に形成され、その頂部を通る所定方向の縦断面形状が三角形状に形成されており、更に、各凸部２０については、その底辺の一辺の長さ、即ち底面の対向辺の（換言すると、この底面において相互に対向する辺）の間隔が８０〜１５０μｍで、その対面角が９０〜１２０度に構成されている。
【００３７】
この実施形態においては、複数の冷陰極蛍光ランプ１６に対応する上方の領域、即ち冷陰極蛍光ランプ１６からの影響が大きくて光の強い第１領域Ｓ１に、第１の形態の凸部２０ａが設けられ、また複数の冷陰極蛍光ランプ１６の間に対応する上方の領域、即ち冷陰極蛍光ランプ１６からの影響が小さくて光の弱い第２領域Ｓ２に、第２の形態の凸部２０ｂが設けられ、これら凸部２０ａ，２０ｂの底辺の一辺の長さ、即ちその底面の対向辺の間隔が８０〜１５０μｍに形成される。また、これら凸部２０ａ，２０ｂの対面角（換言すると、凸部２０ａ，２０ｂの所定方向に対向する対向面２２ａ，２２ｂ、２４ａ，２４ｂの対面角α１，α２が９０〜１２０度に形成される。
【００３８】
拡散導光板４の出射面１４から出射される光の輝度が均一となるように、第１領域Ｓ１の複数の凸部２０ａ及び第２領域Ｓ２の複数の凸部２０ｂは、第２領域Ｓ２の凸部２０ｂが第１領域Ｓ１の凸部２０よりもプリズム効果が高くなるように構成される。
【００３９】
図３〜図５に示すように、第１領域Ｓ１の各凸部２０ａの上記所定方向の底辺の長さＬ１（即ち、各凸部２０ａの底面の上記所定方向の対向辺の間隔Ｌ１）は、第２領域Ｓ２の各凸部２０ｂの上記所定方向の底辺の長さＬ２（即ち、各凸部２０ｂの底面の上記所定方向の対向辺の間隔Ｌ２）よりも小さくなるように形成され、凸部２０ａの底辺の長さＬ１は、例えば１００μｍ前後に形成され、凸部２０ｂの底辺の長さＬ２は、例えば１２０μｍ前後に形成される。尚、凸部２０ａ，２０ｂの上記所定方向に対して垂直な方向の底辺の長さは等しく形成され、例えば１００μｍ前後に形成され、従って、第１領域Ｓ１の凸部２０ａの底面は、例えば正方形状に形成される。
【００４０】
また、第１領域Ｓ１の各凸部２０ａの上記所定方向の対面角α１（対向する傾斜面２２ａ，２２ｂの角度）は、第２領域Ｓ２の各凸部２０ｂの上記所定方向の対面角α２（対向する傾斜面２４ａ，２４ｂの角度）よりも鋭角に形成され、凸部２０ａの所定方向の対面角α１は、例えば１００度前後に形成され、凸部２０ｂの対面角α２は、例えば１１０度前後に形成される。尚、この凸部２０ａの上記所定方向に対して垂直な方向の対面角は例えば１００度前後に形成され、従って、第１領域Ｓ１の凸部２０ａは正四角錐状に形成される。
【００４１】
このように第１領域Ｓ１の各凸部２０ａの上記所定方向の底辺の長さＬ１を第２領域Ｓ２の各凸部２０ｂの上記所定方向の底辺の長さＬ２よりも小さくし、また第１領域Ｓ１の各凸部２０ａの上記所定方向の対面角α１を第２領域Ｓ２の各凸部２０ｂの上記所定方向の対面角α２よりも鋭角にすることによって、第２領域Ｓ２の凸部２０ｂが第１領域Ｓ１の凸部２０ａよりもプリズム効果が高められ、これによって、第２領域Ｓ２の光の輝度がより高められ、その結果、拡散導光板４の出射面１４の全域における輝度をほぼ均一にすることができる。尚、第１領域Ｓ１の各凸部２０ａの底辺の長さＬ１を第２領域Ｓ２の各凸部２０ｂの底辺の長さＬ２よりも小さくすること、及び第１領域Ｓ１の各凸部２０ａの対面角α１を第２領域Ｓ２の各凸部２０ｂの対面角α２よりも鋭角にすることのいずれかを採用することによっても、同様の作用効果が達成される。
【００４２】
このような拡散導光板４においては、その入射面１２に反射防止手段を設けるのが好ましい。この反射防止手段は連続的に設けられた多数の微細な凸部から構成することができ、これら微細な凸部を拡散導光板４の入射面１２に一体的に設けることができる。多数の微細な凸部に代えて、連続的に設けられた多数の微細な凹部から構成してもよい。また、拡散導光板４の入射面１２に一体的に設けることに代えて、反射防止フィルムの表面に多数の微細な凸部（又は凹部）を連続的に設け、かかる反射防止フィルムを拡散導光板４の入射面１２に貼付するようにしてもよい。このように反射防止手段を設けることによって、入射面１２における光の反射が防止される。尚、このような反射防止手段は、例えば特開２００６−１７９４９５に開示されたものを用いることができる。
【００４３】
再び図１及び図２を参照して反射部材８について説明すると、反射部材８はプレート状部材から形成され、冷陰極蛍光ランプ１６の配設部位に対応して下方に突出する突状部３０が設けられている。各突状部３０は縦断面形状が略台形状に形成され、かく突状部３０を設けることによって形成される凹部空間３２に、冷陰極蛍光ランプ１６が配設される。この反射部材８は、内面が白色であるもの、例えばポリカーボネイト樹脂、ＡＢＳ樹脂などの合成樹脂から形成された白色樹脂プレートを用いることができる。この反射部材８は、冷陰極蛍光ランプ１６からの光を拡散導光板４の入射面１２に向けて反射する。
【００４４】
また、拡散導光板４の出射面１４側に配設される光拡散シート１０は、ポリエチレン、アクリル系樹脂などの合成樹脂から形成され、拡散導光板４の出射面１４から出射された光を拡散し、拡散されて照度が均一となった光が液晶ユニット（図示せず）を照射する。この光拡散シート１０としては、例えばポリエチレンから形成される基材シートに、アクリル樹脂、有機シリコーン樹脂、ポリスチレン樹脂などの有機粒子、及び／又はガラス、シリカ、硫酸バリウムなどの無機粒子を含有する熱可塑性樹脂シート（例えば、特開２００６−７８７４３号公報に開示されたもの）、或いはアクリル系発泡樹脂を発泡処理させて微細気泡を含有する熱可塑性樹脂シート（例えば、特開２００６−１２４６９７号公報に開示されたもの）などを用いることができる。また、このような光拡散シート１０としては、その出射面（図２において上面）に拡散ドットとして微細な凸部（及び／又は凹部）を設け、かかる凸部（及び／又は凹部）によって光を拡散するようにしたものを用いるようにしてもよく、この拡散ドットは、拡散導光板４の第１領域Ｓ１に対応する部位においては単位面積当たりの密度が大きくなるように、またその第２領域Ｓ２に対応する部位においては単位面積当たりの密度が小さくなるように設けるのが好ましく、このように設けることによって、光拡散シート１０から出射される光の輝度ムラの発生を抑えることができる。
【００４５】
上述したバックライトユニット２においては、冷陰極蛍光ランプ１６からの光の一部が直接的に、またこの光の一部が反射部材８に反射された後に入射面１２から拡散導光板４に導入され、かく導入された光は、拡散導光板４を通して出射面１４に導かれ、この出射面１４から出射される。光拡散板４の出射面１４から出射される光は、その表面に施された凸部２０（２０ａ，２０ｂ）のプリズム効果によって輝度が高められる。この拡散導光板４からかく出射された光は光拡散シート１０を通り、この光拡散シート１０によって光拡散され、拡散して均一となった光が液晶ユニット（図示せず）の背面側から照明し、液晶ユニットを均一に照明することができる。また、拡散導光板４の複数の凸部２０（２０ａ，２０ｂ）のプリズム効果によって光の輝度が充分に高められ、それ故に、従来必要であったプリズムシートを省略することが可能となる。
【００４６】
上述した実施形態では、拡散導光板４の出射面１４に設けられた複数の凸部２０（２０ａ，２０ｂ）の頂部が尖っているが、このように頂部が尖っていると光が集中して部分的に輝度が高くなる傾向にあり、このような傾向を解消するために、図６に示すように構成するのが望ましい。図６（ａ）及び（ｂ）において、この第１の変形形態においては、拡散導光板４Ａの出射面１４に設けられた凸部２０Ａａ，２０Ａｂは、図１〜図５に示す実施形態における凸部２０（２０ａ，２０ｂ）と同様に形成され、第１領域Ｓ１の凸部２０Ａａの底辺の長さＬ１は、例えば１００μｍ前後に形成され、第２領域Ｓ２の凸部２０Ａｂの底辺の長さＬ２は、例えば１２０μｍ前後に形成され、第１領域Ｓ１の凸部２０Ａａの上記所定方向の対面角α１は、例えば１００度前後に形成され、第２領域Ｓ２の凸部２０Ａｂの対面角α２は、例えば１１０度前後に形成される。この第１の変形形態では、更に、第１及び第２領域Ｓ１，Ｓ２の凸部２０Ａａ，２０Ａｂの頂部が弧状に丸く形成され、これら凸部２０Ａａ，２０Ａｂの底辺の一辺が８０〜１５０μｍである場合に、これら凸部２０Ａａ，２０Ａｂの高さＨ１，Ｈ２が１５〜５０μｍ程度となるように形成され、これら凸部２０Ａａ，２０Ａｂの頂部を丸くすることによって、光の集中を抑えて輝度が部分的に大きくなるのを防止することができる。
【００４７】
上述した形態では、拡散導光板４の出射面１４に凸部２０（２０ａ，２０ｂ、２０Ａａ，２０Ａｂ）を設けているが、このような構成に代えて、図７（ａ）及び（ｂ）に示すように構成することもできる。図７（ａ）及び（ｂ）において、この第２の変形形態においては、拡散導光板４Ｂの出射面１４に上記所定方向及びこの所定方向に対して垂直な方向に連続的に凹部４０（４０ａ，４０ｂ）が隙間なく設けられ、上述したと同様に、拡散導光板４Ｂの第１領域Ｓ１に対応して、図７（ａ）に示す通りの第１の形態の凹部４０ａが設けられ、また拡散導光板４Ｂの第２領域Ｓ２に対応して、図７（ｂ）に示す通りの第２の形態の凹部４０ｂが設けられ、これら凹部４０ａ，４０ｂの底辺の一辺（換言すると、凹部４０ａ，４０ｂの底面の対向辺の間隔）が８０〜１５０μｍに形成される。また、これら凹部４０ａ，４０ｂの対面角（換言すると、凹部４０ａ，４０ｂの所定方向に対向する対向面４２ａ，４２ｂ、４４ａ，４４ｂの対面角α１，α２）が９０〜１２０度に形成される。
【００４８】
このように複数の凹部４０（４０ａ、４０ｂ）を形成した場合においても、拡散導光板４Ｂの出射面１４から出射される光の輝度が均一となるように、第１領域Ｓ１の複数の凹部４０ａ及び第２領域Ｓ２の複数の凹部４０ｂは、第２領域Ｓ２の凹部４０ｂが第１領域Ｓ１の凹部４０ａよりもプリズム効果が高くなるように構成される。即ち、第１領域Ｓ１の各凹部４０ａの上記所定方向の底辺の長さＬ１（各凹部４０ａの底面の上記所定方向の対向辺の間隔Ｌ１）は、第２領域Ｓ２の各凹部４０ｂの上記所定方向の底辺の長さＬ２（各凹部４０ｂの底面の上記所定方向の対向辺の間隔Ｌ２）よりも小さくなるように形成され、第１の形態の凹部４０ａの所定方向の底辺の長さＬ１は、例えば１００μｍ前後に形成され、第２の形態の凹部４０ｂの所定方向の底辺の長さＬ２は、例えば１２０μｍ前後に形成される。尚、第１及び第２の形態の凹部４０ａ，４０ｂの上記所定方向に対して垂直な方向の底辺の長さは、例えば１００μｍ前後に形成される。
【００４９】
また、第１領域Ｓ１の各凹部４０ａの上記所定方向の対面角α１（対向する傾斜面４２ａ，４２ｂの角度）は、第２領域Ｓ２の各凹部４０ｂの上記所定方向の対面角α２（対向する傾斜面４４ａ，４４ｂの角度）よりも鋭角に形成され、第１領域Ｓ１の凹部４０ａの対面角α１は、例えば１００度前後に形成され、第２領域Ｓ２の凹部４０ｂの対面角α２は、例えば１１０度前後に形成される。尚、この凹部４０ａの上記所定方向に対して垂直な方向の対面角は例えば１００度前後に形成される。
【００５０】
このように出射面１４に凹部４０ａ，４０ｂを設けた場合においても、凹部４０ａ，４０ｂのプリズム効果によって光の輝度を高めることができる。また、第１領域Ｓ１の各凹部４０ａの上記所定方向の底辺の長さＬ１を第２領域Ｓ２の各凹部４０ｂの上記所定方向の底辺の長さＬ２よりも小さくし、また第１領域Ｓ１の各凹部４０ａの上記所定方向の対面角α１を第２領域Ｓ２の各凹部４０ｂの上記所定方向の対面角α２よりも鋭角にすることによって、第２領域Ｓ２の凹部４０ｂが第１領域Ｓ１の凹部４０ａよりもプリズム効果が高められ、これによって、第２領域Ｓ２の光の輝度がより高められ、上述したと同様に、拡散導光板４Ｂの出射面１４の全域における輝度をほぼ均一にすることができる。尚、第１領域Ｓ１の各凹部４０ａの底辺の長さＬ１を第２領域Ｓ２の各凹部４０ｂの底辺の長さＬ２よりも小さくすること、及び第１領域Ｓ１の各凹部４０ａの対面角α１を第２領域Ｓ２の各凹部４０ｂの対面角α２よりも鋭角にすることのいずれかを採用するようにしてもよい。
【００５１】
この第２の変形形態では、拡散導光板４Ｂの出射面１４に設けられた複数の凹部４０（４０ａ，４０ｂ）の底部が尖っているが、このように底部が尖っていると光が集中して部分的に輝度が高くなる傾向にあり、このような傾向を解消するために、第１の変形形態と同様に、かかる凹部４０（４０ａ，４０ｂ）の底部を弧状に丸く形成するのが好ましく、このように構成することによって、光の集中を抑え、部分的に輝度が高くなるのを防止することができる。
【００５２】
このような拡散導光板は、図８〜図１０に示すように構成することもできる。図８は、拡散導光板の第３の変形形態の一部を拡大して示す平面図であり、図９は、図８におけるＩＸ−ＩＸ線による拡大断面図であり、図１０は、図８におけるＸ−Ｘ線による拡大断面図である。
【００５３】
図８〜図１０において、拡散導光板４Ｃにおいては、その出射面１４に上記所定方向（図８において左右方向）及びこの所定方向に対して垂直な方向（図８において上下方向）に連続して隙間なく設けられる複数の凸部５０（５０ａ，５０ｂ）が、横断面形状が四角形の四角錐状であって、その頂部を通る所定方向の縦断面形状が台形状に形成され、これら各凸部５０については、上述したと同様に、その底辺の一辺（換言すると、その底面の対向辺の間隔）が８０〜１５０μｍで、その対面角が９０〜１２０度に形成され、このように構成することによって、図１〜図５に示す凸部２０（２０ａ，２０ｂ）を設けた場合と同様の効果が達成される。
【００５４】
この変形形態においても、拡散導光板４Ｃの第１領域Ｓ１に、第１の形態の凸部５０ａ（図９参照）が設けられ、また拡散導光板４Ｃの第２領域Ｓ２に、第２の形態の凸部２０ｂ（図１０参照）が設けられ、これら凸部５０ａ，５０ｂの底辺の一辺（換言すると、その底面の相互に対向する対向辺の間隔）が８０〜１５０μｍに形成される。また、これら凸部５０ａ，５０ｂの所定方向の対面角（換言すると、凸部５０ａ，５０ｂの所定方向に対向する対向面５２ａ，５２ｂ、５４ａ，５４ｂの対面角α１，α２）が９０〜１２０度に形成される。
【００５５】
この第３変形形態においても、拡散導光板４Ｃの出射面１４から出射される光の輝度が均一となるように、第２領域Ｓ２の凸部５０ｂが第１領域Ｓ１の凸部５０ａよりもプリズム効果が高くなるように構成される。即ち、第１領域Ｓ１の各凸部５０ａの上記所定方向の底辺の長さＬ１（換言すると、各凸部５０ａの上記所定方向の対向辺の間隔Ｌ１）は、第２領域Ｓ２の各凸部５０ｂの上記所定方向の底辺の長さＬ２（換言すると、各凸部５０ｂの上記所定方向の対向辺の間隔Ｌ２）よりも小さくなるように形成され、第１の形態の凸部５０ａの底辺の長さＬ１は、例えば１２０μｍ前後に形成され、第２の形態の凸部２０ｂの底辺の長さＬ２は、例えば１４０μｍ前後に形成される。尚、第１及び第２の形態の凸部５０ａ，５０ｂの上記所定方向に対して垂直な方向の底辺の長さは等しく形成され、例えば１００μｍ前後に形成される。
【００５６】
また、第１領域Ｓ１の各凸部５０ａの上記所定方向の対面角α１（対向する傾斜面５２ａ，５２ｂの角度）は、第２領域Ｓ２の各凸部５０ｂの上記所定方向の対面角α２（対向する傾斜面５４ａ，５４ｂの角度）よりも鋭角に形成され、第１の形態の凸部５０ａの所定方向の対面角α１は、例えば１００度前後に形成され、第２の形態の凸部５０ｂの対面角α２は、例えば１１０度前後に形成される。尚、この凸部５０ａの上記所定方向に対して垂直な方向の対面角は例えば１００度前後に形成される。
【００５７】
このように構成することによっても、拡散導光板４Ｃの第２領域Ｓ２の凸部５０ｂが第１領域Ｓ１の凸部５０ａよりもプリズム効果が高められ、これによって、第２領域Ｓ２の光の輝度がより高められ、拡散導光板４Ｃの出射面１４の全域における輝度をほぼ均一にすることができる。尚、この場合においても、第１領域Ｓ１の各凸部５０ａの底辺の長さＬ１を第２領域Ｓ２の各凸部５０ｂの底辺の長さＬ２よりも小さくすること、及び第１領域Ｓ１の各凸部５０ａの対面角α１を第２領域Ｓ２の各凸部５０ｂの対面角α２よりも鋭角にすることのいずれかを採用することによっても、同様の作用効果が達成される。
【００５８】
このような第３の変形形態では、拡散導光板４Ｃの複数の凸部５０（５０ａ，５０ｂ）の頂部が尖っているが、この頂部における光の集中を抑えるために、図６に示した変形形態と同様に、複数の凸部５０（５０ａ，５０ｂ）の頂部を弧状に丸くするようにするのが望ましい。
【００５９】
また、第３の変形形態のように、拡散導光板４Ｃに複数の凸部５０（５０ａ，５０ｂ）を設けることに代えて、図７に示すように、このような形状の凹部（横断面形状が四角形の四角錐状であって、その底部を通る所定方向の縦断面形状が台形状に形成された凹部）を設けるようにしてもよく、更に上述したように、かかる凹部の底部を弧状に丸くするように構成してもよい。
【００６０】
上述した実施形態では、拡散導光板の出射面に設けた複数の凸部（又は凹部）の形状を四角錐状に形成しているが、このような形状に限定されず、例えば図１１に示すように、正六角錐状に形成するようにしてもよい。
【００６１】
拡散導光板の第４の変形形態を示す図１１を参照して、この変形形態の拡散導光板４Ｄにおいては、その出射面１４に上記所定方向（図１１において左右方向）及び上記所定方向に対して垂直な方向（図１１において上下方向）に連続して隙間なく設けられる複数の凸部６０が、横断面形状が正六角形の正六角錐状に形成されている。これら凸部６０については、上述したと同様に、その底面の相互に対向する対向辺の間隔Ｌ１が８０〜１５０μｍで、その対面角（例えば、凸部６０の所定方向に対向する対向面６２ａ，６２ｂの対面角）が９０〜１２０度に形成され、このように構成することによって、図１〜図５に示す凸部５０を設けた場合と同様の効果が達成される。尚、正六角錐状の凸部６０を設けた場合、所定方向に対して垂直な方向に相互に隣接する凸部６０は、上記所定方向に半分ずれて設けられる。
【００６２】
この変形形態においても、図示していないが、拡散導光板４Ｄの出射面１４から出射される光の輝度が均一となるように、第２領域の凸部５０が第１領域の凸部５０よりもプリズム効果が高くなるように、第１領域の各凸部５０の上記所定方向の対面角（例えば、対向する傾斜対向面６２ａ，６２ｂの対面角）が第２領域の各凸部５０の上記所定方向対面角よりも鋭角になるように構成する、換言すると、第１領域の各凸部５０の高さが第２領域の各凸部５０の高さよりも大きくなるように構成するのが好ましく、このように構成することによって、上述したと同様の効果が達成される。
【００６３】
この第４の変形形態においても、拡散導光板４Ｄの複数の凸部６０の頂部が尖っているが、この頂部における光の集中を抑えるために、図６に示した変形形態と同様に、複数の凸部６０の頂部を弧状に丸くするようにするのが望ましい。
【００６４】
また、第３の変形形態のように、拡散導光板４Ｄに複数の凸部６０を設けることに代えて、図７に示すように、横断面形状が正六角形の正六角錐状の凹部を設けるようにしてもよく、更に上述したように、かかる凹部の底部を弧状に丸くするようにしてもよい。
【００６５】
また、上述した構成に代えて、図１２又は図１３に示すように構成することもできる。拡散導光板の第５の変形形態を示す図１２において、この変形形態の拡散導光板４Ｅにおいては、その出射面１４に上記所定方向（図１２において左右方向）及び上記所定方向に対して垂直な方向（図１２において上下方向）に連続して複数の凸部７０が設けられ、これら凸部７０の各々は、横断面形状が円形である略半球状に形成されている。これら凸部７０は、底部が正四角状となるように、換言すると特定の凸部７０の周囲に８つの凸部７０が配置されるように重なって隙間なく設けられ、各凸部７０の底面の直径Ｄ１が８０〜１５０μｍに形成される。
【００６６】
また、拡散導光板の第６の変形形態を示す図１３において、この第６の変形形態の拡散導光板４Ｆにおいては、出射面１４に所定方向（図１３において左右方向）及びこの所定方向に対して垂直な方向（図１３のいて上下方向）に連続して設けられる複数の凸部８０は、横断面形状が円形である略半球状に形成されるが、底部が正六角状となるように、換言すると特定の凸部８０の周囲に６つの凸部８０が配置されるように重なって隙間なく設けられ、各凸部８０の底面の直径Ｄ１は、上述したと同様に、８０〜１５０μｍに形成される。これら第５及び第６の変形形態の拡散導光板７０，８０においても、上述したと同様の作用効果が達成される。
【００６７】
第５（及び第６）の変形形態においても、図示していないが、拡散導光板４Ｅ（４Ｆ）の出射面１４から出射される光の輝度が均一となるように、第２領域の凸部７０（８０）が第１領域の凸部７０（８０）よりもプリズム効果が高くなるように、第１領域の各凸部７０（８０）の高さがが第２領域の各凸部７０（８０）の高さよりも大きくなるように構成するのが好ましく、このように構成することによって、上述したと同様の効果が達成される。
【００６８】
また、第５（又は第６）の変形形態のように、拡散導光板４Ｅ（又は４Ｆ）に複数の凸部７０（又は８０）を設けることに代えて、図７に示すように、横断面形状が円形の略半球状の凹部を設けるようにしてもよく、かかる場合、複数の凹部は、底部（即ち、開口側底部）が正四角状（又は正六角状）となるように重なって隙間なく設けられ、更に、第２領域の凹部が第１領域の凹部よりもプリズム効果が高くなるように、第１領域の各凹部７の深さが第２領域の各凹部の深さよりも大きくなるように構成するのが好ましい。
【００６９】
以上、本発明に従うバックライトユニットの実施形態について説明したが、本発明はかかる実施形態に限定されるものではなく、本発明の範囲を逸脱することなく種々の変形乃至修正が可能である。
【００７０】
例えば、上述した実施形態並びに第１〜第３の変形形態では、いずれも、拡散導光板の出射面の第１領域に第１の形態の凸部（又は凹部）を設け、その第２領域に第２の形態の凸部（又は凹部）を設けているが、このような構成に代えて、次のように構成することもできる。即ち、拡散導光板の出射面に設けられる凸部（又は凹部）の底辺の長さ（即ち、その底面の上記所定方向に相互に対向する対向辺の間隔）に関し、これら凸部（又は凹部）の所定方向の一辺の長さ（即ち、対向辺の間隔）が、第１領域の上記所定方向の中心部から第２領域の上記所定方向の中心部に向けて連続的又は段階的に大きくなるように形成するようにしてもよく、このように構成することによって、第１領域の上記中心部から第２領域の上記中心部に向けて連続的に又は段階的に光の輝度を高めて拡散導光板全域の輝度をより均一にすることができる。また、かかる凸部（又は凹部）の対面角に関し、これら凸部（又は凹部）における上記所定方向の対面角は、第１領域の上記所定方向の中心部から第２領域の上記所定方向の中心部に向けて、連続的又は段階的に大きくなるように形成するようにしてもよく、このように構成することによっても、第１領域の上記中心部から第２領域の上記中心部に向けて連続的に又は段階的に光の輝度を高めて拡散導光板全域の輝度をより均一にすることができる。
【００７１】
また、例えば、上述した第４の変形形態の構成に代えて、拡散導光板の出射面に設けられる凸部（又は凹部）の対向面に関し、これら凸部（又は凹部）における上記所定方向の対面角は、第１領域の上記所定方向の中心部から第２領域の上記所定方向の中心部に向けて、連続的に又は段階的に大きくなるように形成することができる。
【００７２】
更に、例えば、上述した第５及び第６の変形形態の構成に代えて、拡散導光板の出射面に設けられる凸部（又は凹部）の高さ（又は深さ）関し、これら凸部（又は凹部）の高さ（又は深さ）は、第１領域の上記所定方向の中心部から第２領域の上記所定方向の中心部に向けて、連続的に又は段階的に小さくなるように形成することができる。
【図面の簡単な説明】
【００７３】
【図１】本発明に従うバックライトユニットの一実施形態を示す斜視図。
【図２】図１のバックライトユニットを示す断面図。
【図３】図１のバックライトユニットにおける拡散導光板の一部を拡大して示す平面図。
【図４】図３におけるＩＶ−ＩＶ線による拡大断面図。
【図５】図３におけるＶ−Ｖ線による拡大断面図。
【図６】拡散導光板の第１の変形形態の一部を拡大して示す部分拡大断面図。
【図７】拡散導光板の第２の変形形態の一部を拡大して示す部分拡大断面図。
【図８】拡散導光板の第３の変形形態の一部を拡大して示す平面図。
【図９】図８におけるＩＸ−ＩＸ線による拡大断面図。
【図１０】図８におけるＸ−Ｘ線による拡大断面図。
【図１１】拡散導光板の第４の変形形態の一部を拡大して示す平面図。
【図１２】拡散導光板の第５の変形形態の一部を拡大して示す平面図。
【図１３】拡散導光板の第６の変形形態の一部を拡大して示す平面図。
【符号の説明】
【００７４】
２  バックライトユニット
４，４Ａ，４Ｂ，４Ｃ，４Ｄ，４Ｅ，４Ｆ  拡散導光板
６  一次光源
８  反射部材
１０  光拡散シート
１２  入射面
１４  出射面
１６  冷陰極蛍光ランプ
２０，２０ａ，２０ｂ，２０Ａａ，２０Ａｂ，５０，５０ａ，５０ｂ，６０，７０，８０  凸部
４０ａ，４０ｂ  凹部
Ｄ１  凸部の底面の直径
Ｌ１，Ｌ２  凸部の底面の対向辺の間隔
α１，α２  凸部（凹部）の対面角
【図１】
2008234846.tif 000003
【図２】
2008234846.tif 000004
【図３】
2008234846.tif 000005
【図４】
2008234846.tif 000006
【図５】
2008234846.tif 000007
【図６】
2008234846.tif 000008
【図７】
2008234846.tif 000009
【図８】
2008234846.tif 000010
【図９】
2008234846.tif 000011
【図１０】
2008234846.tif 000012
【図１１】
2008234846.tif 000013
【図１２】
2008234846.tif 000014
【図１３】
2008234846.tif 000015